(57)【要約】      （修正有）【課題】乾式タイル構造の高付加価値化を計り、植物による壁面装飾外観美麗な壁面構造を提供するとともに、ビル等建造物の空調負荷の軽減による省エネルギーを実現する壁面構造を提供する。【解決手段】基壁面１５９に面状に複数のタイル１００が配列して着脱自在に係着し、タイル１００が係着されていない部分に鉢状タイル２００が係着する壁面構造であり、タイル１００が縦横に格子状に配置されてタイル面を構成し、タイル１００が欠落した個所に対応する部分に鉢状タイル２００が係着し、鉢状タイル２００の幅の整数倍と、タイル１００の横幅の整数倍とが略等しくされ、鉢状タイル２００の高さの整数倍と、タイル１００の縦幅の整数倍とが略等しくされて、欠落した個所に鉢状タイル２００が嵌め込まれる壁面構造である。【選択図】図４
2006118119.tif 000002
【特許請求の範囲】
【請求項１】
基壁面と、
該基壁面の外側に該基壁面の面方向に配置され該基壁面に着脱自在に係着する複数の被係着物と、
該基壁面に固定されて該基壁面の面方向に配置され、前記複数の被係着物を受ける受け部とを含んでなり、
前記複数の被係着物が
該受け部に係合する係合部を自身の裏がわに備え該基壁面に面状に配列する複数の板状タイルと、
該受け部に係合する係合部を備える鉢状タイルとを含んで構成され、
前記受け部の、前記板状タイルが係着されていない部分に前記鉢状タイルが係着する
壁面構造。
【請求項２】
前記板状タイルが、焼物体と、前記板状タイルの表面側に配されて該焼物体と結合した板状のセラミックス多孔質体とを含んでなる請求項１に記載の壁面構造。
【請求項３】
前記焼物体の板状タイル表面に相当するがわの面に該焼物体の長手方向に延びる懐溝が形成され、該懐溝に前記セラミックス多孔質体が充填された請求項２に記載の壁面構造。
【請求項４】
前記セラミックス多孔質体の上面に植物が植生された請求項２又は３に記載の壁面構造。
【請求項５】
前記植物がセダム又は苔である請求項４に記載の壁面構造。
【請求項６】
前記板状タイルの上がわ側面の、タイル表面に相当するがわが、タイル表面に向けて下降傾斜する斜面である請求項１乃至５のいずれかに記載の壁面構造。
【請求項７】
前記板状タイルの上がわ側面のタイル裏面に相当するがわに板状タイルの長手方向に延びる凸条が形成された請求項１乃至６のいずれかに記載の壁面構造。
【請求項８】
前記板状タイルの下がわ側面に該板状タイルの長手方向に延びる横溝が形成された請求項１乃至７のいずれかに記載の壁面構造。
【請求項９】
列配された前記複数の板状タイルの最上段の板状タイルの更に上段に、前記板状タイルに給水する給水手段を備える請求項１乃至８のいずれかに記載の壁面構造。
【請求項１０】
前記給水手段が、
前記最上段の板状タイルの上方に水平に張られて位置する給水パイプと、
前記最上段の板状タイルの上方に位置し、施工面に着脱自在に装着される係止部とを備え、表面側に前記給水パイプを位置させる受けタイルと、
該受けタイルの上方に位置し、前記給水パイプを覆い、前記給水パイプを覆う蓋部と施工面に着脱自在に装着される係着部とを有する蓋タイルと
を備える請求項９に記載の給水手段付きの壁面構造。
【請求項１１】
前記板状タイルの係合部と、前記受けタイルの係止部と、前記蓋タイルの係着部とが略同一の形状を有する請求項１０に記載の給水手段付きの壁面構造。
【請求項１２】
前記板状タイルが縦横に格子状に配置されてタイル面を構成し、かつ、該タイル面に前記板状タイルが欠落した個所を有し、該欠落した個所に対応する前記受け部の部分に前記鉢状タイルが係着し、該鉢状タイルの幅の整数倍と、前記板状タイルの横幅の整数倍とが略等しくされて、該欠落した個所に該鉢状タイルの前記基壁面に面するがわの面部が嵌め込まれる請求項１乃至１１のいずれかに記載の壁面構造。
【請求項１３】
前記鉢状タイルの高さの整数倍と、前記板状タイルの縦幅の整数倍とが略等しくされる請求項１２に記載の壁面構造。
【請求項１４】
請求項１乃至１３のいずれかに記載の前記壁面構造に用いられる鉢状タイルであって、上方に開口し、装着されるべき基壁面に対峙する外部空間に面するおもてがわ側壁と、前記基壁面に面する裏がわ側壁、一対の横がわ側壁と、これら側壁が立設する底壁とを有し、前記裏がわ側壁に前記受け部に係合する係合部を備える鉢状タイル。
【請求項１５】
幅の整数倍と、前記板状タイルの横幅の整数倍とが略等しくされた請求項１４に記載の鉢状タイル。
【請求項１６】
高さの整数倍が前記板状タイルの縦幅の整数倍と略等しくされた請求項１４又は１５に記載の鉢状タイル。
【請求項１７】
前記裏がわ側壁の上面に、上方に突出し、横方向に延出する凸条部が形成された請求項１４乃至１６のいずれかに記載の鉢状タイル。
【請求項１８】
前記裏がわ側壁の上面から、前方に向けて下降傾斜する斜面が形成された請求項１４乃至１７のいずれかに記載の鉢状タイル。
【請求項１９】
前記底壁の外面に横方向に延びる横溝が形成された請求項１４乃至１８のいずれかに記載の鉢状タイル。
【発明の詳細な説明】
【技術分野】
【０００１】
本発明は、タイルが壁面に係示具を介して取り付けられる乾式タイル構造に関するものであり、特には、乾式タイル構造による外観美麗な壁面構造に関する。
【背景技術】
【０００２】
タイルが壁面に係示具を介して取り付けられる乾式タイル構造が開示されている（例えば、特許文献１参照。）。乾式タイル構造は施工の合理化を目的として普及しつつある。
【０００３】
施工の合理化の半面で、乾式タイル構造に用いられるタイルは従来のタイルより形状が複雑でコストアップの要因となるので、さらなる高付加価値化が求められている。
【０００４】
一方、ビル等建造物の空調負荷の軽減による省エネルギーに関する技術が求められている。
【特許文献１】特開２００２−１９１４５４号公報（特許請求の範囲）
【発明の開示】
【発明が解決しようとする課題】
【０００５】
本発明の目的は、乾式タイル構造の高付加価値化を計り、植物による壁面装飾外観美麗な壁面構造を提供するとともに、ビル等建造物の空調負荷の軽減による省エネルギーを実現する壁面構造を提供しようとする。
【課題を解決するための手段】
【０００６】
本発明の要旨とするところは、
基壁面と、
該基壁面の外側に該基壁面の面方向に配置され該基壁面に着脱自在に係着する複数の被係着物と、
該基壁面に固定されて該基壁面の面方向に配置され、前記複数の被係着物を受ける受け部とを含んでなり、
前記複数の被係着物が
該受け部に係合する係合部を自身の裏がわに備え該基壁面に面状に配列する複数の板状タイルと、
該受け部に係合する係合部を備える鉢状タイルとを含んで構成され、
前記受け部の、前記板状タイルが係着されていない部分に前記鉢状タイルが係着する
壁面構造であることにある。
【０００７】
前記板状タイルは、焼物体と、前記板状タイルの表面側に配されて該焼物体と結合した板状のセラミックス多孔質体とを含んでなり得る。
【０００８】
前記壁面構造においては、前記焼物体の板状タイル表面に相当するがわの面に該焼物体の長手方向に延びる懐溝が形成され得、該懐溝に前記セラミックス多孔質体が充填され得る。
【０００９】
前記壁面構造においては、前記セラミックス多孔質体の上面に植物が植生され得る。
【００１０】
前記植物はセダム又は苔であり得る。
【００１１】
前記壁面構造においては、前記板状タイルの上がわ側面の、タイル表面に相当するがわが、タイル表面に向けて下降傾斜する斜面であり得る。
【００１２】
前記壁面構造においては、前記板状タイルの上がわ側面のタイル裏面に相当するがわに板状タイルの長手方向に延びる凸条が形成され得る。
【００１３】
前記壁面構造においては、前記板状タイルの下がわ側面に該板状タイルの長手方向に延びる横溝が形成され得る。
【００１４】
前記壁面構造においては、列配された前記複数の板状タイルの最上段の板状タイルの更に上段に、前記板状タイルに給水する給水手段を備え得る。
【００１５】
前記給水手段は、
前記最上段の板状タイルの上方に水平に張られて位置する給水パイプと、
前記最上段の板状タイルの上方に位置し、施工面に着脱自在に装着される係止部とを備え、表面側に前記給水パイプを位置させる受けタイルと、
該受けタイルの上方に位置し、前記給水パイプを覆い、前記給水パイプを覆う蓋部と施工面に着脱自在に装着される係着部とを有する蓋タイルと
を備え得る。
【００１６】
前記壁面構造においては、前記板状タイルの係合部と、前記受けタイルの係止部と、前記蓋タイルの係着部とが略同一の形状を有し得る。
【００１７】
前記壁面構造においては、前記板状タイルが縦横に格子状に配置されてタイル面を構成し得、かつ、該タイル面に前記板状タイルが欠落した個所を有し得、該欠落した個所に対応する前記受け部の部分に前記鉢状タイルが係着し得、該鉢状タイルの幅の整数倍と、前記板状タイルの横幅の整数倍とが略等しくされて、該欠落した個所に該鉢状タイルの前記基壁面に面するがわの面部が嵌め込まれ得る。
【００１８】
前記壁面構造においては、前記鉢状タイルの高さの整数倍と、前記板状タイルの縦幅の整数倍とが略等しくされ得る。
【００１９】
又、本発明の要旨とするところは、前記壁面構造に用いられる鉢状タイルであって、上方に開口し、装着されるべき基壁面に対峙する外部空間に面するおもてがわ側壁と、前記基壁面に面する裏がわ側壁、一対の横がわ側壁と、これら側壁が立設する底壁とを有し、前記裏がわ側壁に前記受け部に係合する係合部を備える鉢状タイルであることにある。
【００２０】
前記鉢状タイルは、幅の整数倍と、前記板状タイルの横幅の整数倍とが略等しくされ得る。
【００２１】
前記鉢状タイルは、高さの整数倍が前記板状タイルの縦幅の整数倍と略等しくされ得る。
【００２２】
前記鉢状タイルにおいては、前記裏がわ側壁の上面に、上方に突出し、横方向に延出する凸条部が形成され得る。
【００２３】
前記鉢状タイルには、前記裏がわ側壁の上面から、前方に向けて下降傾斜する斜面が形成され得る。
【００２４】
前記鉢状タイルには、前記底壁の外面に横方向に延びる横溝が形成され得る。
【発明の効果】
【００２５】
本発明によると、乾式タイル構造において、植物による壁面装飾によって外観美麗な壁面構造が提供され、乾式タイル構造の高付加価値化が実現される。
【００２６】
本発明の壁面構造を用いて自然回帰型の空間が実現され、その空間に居合わす人に安らぎ感を与える。
【００２７】
本発明の壁面構造により、ビル等建造物の壁面の温度を少ないコストで低下させることができ、冷房負荷の減少による省エネルギーに寄与する。
【００２８】
本発明の壁面構造は、植物や装飾用品による壁面装飾をメンテナンスが容易な態様で実現することが出来る。
【００２９】
本発明の壁面構造は、植物や装飾用品による壁面装飾をメンテナンスが容易な態様で実現するとともにビル等建造物の壁面の断熱性を向上させることが出来る。
【００３０】
本発明の壁面構造により、ビル等建造物の壁面の温度を少ないコストで低下させるとともに、冷房負荷の減少による省エネルギーに寄与し、かつ、植物による壁面装飾をメンテナンスが容易な態様で実現することが出来る
【００３１】
本発明によると、乾式タイル構造において、植物や装飾用品による壁面装飾によって外観美麗な壁面構造が提供されるとともに壁面の断熱性の向上が計れる。
【００３２】
本発明によると、乾式タイル構造において、香り用品配して壁面からの香りによる癒し効果を得ることが出来る。
【発明を実施するための最良の形態】
【００３３】
本発明の壁面構造の実施形態について、図面を使用して説明する。なお、本明細書においては、各図にわたって記される同じ符号は同一又は同様の部材やものを示す。本発明の壁面構造においては、図１示す複合構造の板状タイル１００が用いられる。板状タイル１００は、焼物体１１８の部分と、板状のセラミックス多孔質体１１６の部分とが重畳されて成る。焼物体１１８は板状タイル１００の表面１０４に相当する面に長手方向の溝１０６が形成され、溝１０６にセラミックス多孔質体１１６が充填された構造となっている。セラミックス多孔質体１１６の露出面１０７も板状タイル１００の表面を構成している。
【００３４】
板状タイル１００の上面（上がわ側面）１１１には、板状タイル１００の短幅方向Ａ（以下短幅方向と称する）上方に突出し、板状タイル１００の長幅方向Ｂ（以下長幅方向と称する）に延出する凸条部１１０が形成され、板状タイル１００の裏面１０５には長幅方向に延出する懐溝１１２が形成されている。懐溝１１２の内面は底部上方の隅に更に係合溝１１５が長幅方向に形成されている。上面（上がわ側面）１１１の、タイル表面に相当するがわは、タイル表面に向けて下降傾斜する斜面１１７であることが好ましい。
【００３５】
板状タイル１００の下面（下がわ側面）１０９には、長幅方向に延出する係止溝１１４が形成されている。又、下面１０９には係止溝１１４より表面のがわに、横溝１３５が長幅方向に延出して形成されていることが好ましい。係止溝１１４の、裏面１０５寄りの側壁１１９と裏面１０５に挟さまれて位置し、係止溝１１４の形成により生じた凸条部分１２０は下端部が長手方向に一律に削り取られたように欠落して凸条部分１２０の下面１２２が下面１０９より上方に位置し、これにより、下面１２２には表面１０６寄りの側壁１２５と裏面１０５との間に段差が形成され、段差により、窪み空間１４２が下面１２２と裏面１０５との交差かど部に生じている。
【００３６】
このような構造の板状タイル１００は、例えば、焼物体１１８の部分が対称に対称面を間に対向した形状の素焼筒状体の中空部にセラミックス多孔質体１１６の前駆体を充填して焼成し、焼物体１１８の部分が対称に対向した筒状体の中空部にセラミックス多孔質体が充填された構造物とし、この構造物を対称面で切断あるいは破断し、長手方向には所定の長さに切り分けて製造する。セラミックス多孔質体１１６の前駆体は、例えばＳｉＣのような発泡剤が混入され焼成により発泡する坏土であってもよい。焼成により焼失する焼失性の粒子や多孔質樹脂を混在させた坏土であってもよい。セラミックス多孔質体１１６は発泡セメントであってもよい。
【００３７】
セラミックス多孔質体１１６は、焼成により生成されて焼物体１１８の壁面に焼結されて結合されるものであることが構造の安定性のうえから好ましいが、多孔質体から成る予め用意された板状物が、懐溝１１２に嵌め込まれたものであってもよい。
【００３８】
更に本発明においては、図２、図３に示す鉢状タイル２００が用いられる。鉢状タイル２００は、上方に開口し、装着されるべき基壁面に対峙する外部空間に面するおもてがわ側壁２５０、基壁面に面する裏がわ側壁２５２、及び一対の横がわ側壁２５４、２５４と、これら側壁が立設する底壁２５６を有する。鉢状タイル２００は、法線に沿った欠落部２１４を有する断面略Ｕ字、略Ｖ字又は略凵字形の筒形部材２１０と、筒の端部に相当し鉢状タイル２００の横がわ側部に位置する両開口をそれぞれ少なくとも一部封止する封止部材２１２とで構成される。欠落部２１４が鉢状タイル２００の上部開口部２６０を構成する。筒形部材２１０と封止部材２１２とは一体に成形されていてもよい。
【００３９】
鉢状タイル２００は、表がわ面２０１を装着されるべき基壁面に対峙する外部空間に面して、裏面２０４をその基壁面に面して配され、裏面２０４に係止用受け部１３０（図４）に係合する係合部２０２を備える。係合部２０２の形状は、板状タイル１００の係合部８２ｐ（図１）の形状と同様であることが好ましい。又、裏がわ側壁２５２の上面３１１の後ろがわには、上方に突出し、横方向に延出する凸条部３１０が形成されていることが好ましい。上面３１１は、前方に向けて下降傾斜する斜面３１２であることが好ましい。
【００４０】
底壁２５６の外面に横方向に延びる横溝２３５が形成されていることが好ましい。又、筒形部材２１０と封止部材２１２との接合部分に水抜き用の隙間が設けられてもよい。鉢状タイル２００は底壁２５６に水抜き穴２９９が形成されていてもよい。
【００４１】
凸条部３１０、斜面３１２、横溝２３５は、鉢状タイル２００が基壁面に装着されたとき、板状タイル１００における凸条部２１０、斜面１１７、横溝１３５と同様の機能をそれぞれ有する。
【００４２】
なお、鉢状タイル２００は、所定の横幅と高さを有し、裏面に係合部２０２を備えるものであれば、形状は図５に示すものに限定されない。鉢状タイル２００の素材は焼き物であることが好ましいが、樹脂や金属であってもよく、素材は限定されない。係合部２０２は筒形部材２１０のような鉢状タイル本体と一体に成形されていることが製造コストの面で好ましいが、鉢状タイル本体に連結されたフック状部材であってもよい。フック状部材の素材は特に限定されず、例えば、焼き物、金属、樹脂のいずれであってもよい。
【００４３】
図４に板状タイル１００と鉢状タイル２００が建造物の外壁１４９の基壁面１５９に装着された、本発明の壁面構造１５０の態様を示す。板状タイル１００及び鉢状タイル２００は、外壁１４９に貼合された係止用板１２４を介して外壁１４９に係止装着される。鉢状タイル２００の係合部２０２は、板状タイル１００の係合部８２ｐと同様にして外壁１４９に係止装着される。鉢状タイル２００の凸条部３１０と、鉢状タイル２００の直上に配された板状タイル１００の下端部との配置関係は、上下に隣接して配された板状タイルにおける下がわの板状タイル１００の凸条部１１０と上がわの板状タイル１００の下端部との配置関係と同様にされ、これにより、板状タイル１００と鉢状タイル２００との一体感が得られ、美麗な壁面となる。又、鉢状タイル２００の凸条部３１０は板状タイル１００の凸条部１１０と同様の機能をはたし、凸条部３１０と斜面３１２は、板状タイル１００における凸条部２１０と斜面１１７と同様の機能をそれぞれ有する。
【００４４】
板状タイル１００及び鉢状タイル２００は、外壁１４９に貼合された係止用板１２４を介して外壁１４９に係止装着される。係止用板１２４は、基板１２６と、基板１２６の表面に長手方向を水平にして上下に配列して固定された複数の長尺の係止用受け部１３０から成る。係止用受け部１３０は、下部受け部材１２８と、その上方に配された上部受け部材１２９から成る。下部受け部材１２８は、一の平帯状板と他の平帯状板とが互いに面を直交させてそれぞれの自身の長手方向に沿った一縁部で互いに連接した形状の断面Ｌ字形の長尺部材から成り、一の平帯状板の面が基板１２６の面と平行に配され、他の平帯状板の長手方向に沿った他の縁部が基板１２６に固着している。上部受け部材１２９は、長尺板が自身の長手方向に沿った折り目で断面くの字形に折られた形状の他の長尺部材から成り、面を上方に斜向させて自身の長手方向に沿った縁部で基板１２６に固着している。
【００４５】
板状タイル１００は係止用受け部１３０に係着装着される。くわしくは、下部受け部材１２８が係止溝１１４（図１）と係合し、上部受け部材１２９が係合溝１１５（図１）と係合する。
【００４６】
又、板状タイル１００は外壁１４９の壁面（基壁面１５９）に沿って上下左右に面一に配され、隣接の上下の板状タイル１００は、上方の板状タイル１００の窪み空間１４２に下方の板状タイル１００の凸条部１１０が挿入されて組み合わされる。係止溝１１４と係合溝１１５とを含んで板状タイル１００を施工面に装着する係合部８２ｐ（図１）が構成される。係合部８２ｐは板状タイル本体と一体に成形されていることが製造コストの面で好ましいが、板状タイル本体に連結されたフック状部材であってもよい。フック状部材の素材は特に限定されず、例えば、焼き物、金属、樹脂のいずれであってもよい。
【００４７】
下部受け部材１２８や、上部受け部材１２９の断面形状は係合部８２ｐと係合するものであればＬ字形やくの字形に限定されない。
【００４８】
鉢状タイル２００は、面状に装着された複数の板状タイル１００のうちの一部を取り外したあとの係止用受け部１３０に係合して装着される。
【００４９】
鉢状タイル２００には培土２８８が充填され植物２８９が植生される。
【００５０】
壁面構造１５０は、断熱性に優れたセラミックス多孔質体１１６の効果的な配置により、建造物の優れた外断熱構造を実現する。更に、セラミックス多孔質体１１６が表面に露出しているために、建造物外面への植物の定着に適する。
【００５１】
更に、壁面構造１５０においては、上方の板状タイル１００に付着して湿潤させ飽和した雨水等の水が上方の板状タイル１００の表面１０４の下端から、直下の板状タイル１００の上面１１１の表面がわの部分に落下し、落下した部分から直下の板状タイル１００の表面１０４（図１）の上端部に達し次いで直下の板状タイル１００の表面１０４（図１）の上下方向全体に行き渡る。この水の行程が最上段の板状タイル１００から順次下方の板状タイル１００に実現されて、上下全ての板状タイル１００の表面に万弁なく水がゆきわたる。
【００５２】
加えて、板状タイル１００の表面１０４の下端に達した水は、一部が下面１０９（図１）の表面１０４がわの縁部から下面１０９に沿って裏面１０５（図１）がわに向けて進行するが、横溝１３５に達すると、そこで進行が妨げられて直下の板状タイル１００の上面１１１に落下する。このように、横溝１３５は水が下面１０９に沿って板状タイル１００の裏面１０５に達することを妨げて、上段の板状タイル１００からその下段の板状タイル１００の表面に効率よく水を導入することに寄与する。又、上面１１１が板状タイル表面に向けて下降傾斜する斜面であると、上面１１１に落下した水はタイル表面のセラミックス多孔質体１１６に効率よく達する。これにより、上下全ての板状タイル１００の表面にほぼ均等に万弁なく水がゆきわたる。更に、凸条部１１０は上面１１１に落下した水が板状タイル１００の裏面に達することを効果的に妨げる。
【００５３】
又、壁面構造１５０は、外断熱や植物による装飾効果に加えて、降雨時にセラミックス多孔質体１１６に吸収された水分が晴天時に蒸散し、この気化熱により壁が冷却されるという冷房効果がある。
【００５４】
壁面構造１５０は図５に示すように給水手段１６０を備えることが出来る。図５の給水手段付きの壁面構造１５０ａにおいては、図４と同様の配置で係止用板１２４を介して外壁１４９に係止装着されたタイル列の最上段の板状タイル１００ａの更に直上部に給水手段１６０が配置される。
【００５５】
給水手段１６０は囲み具１６２と、囲み具１６２に包絡されて係止用板１２４に沿って水平に配置される給水管１６５とから成る。囲み具１６２は、板状タイル１００の焼物体１１８の部分と同様の形状をなす受けタイル１６４と、受けタイル１６４を覆う蓋タイル１６８とから成る。両者とも焼き物から成る。受けタイル１６４は、板状タイル１００と同様の態様で係止部８２ｑを介して係止用板１２４に係着され、受けタイル１６４の窪み空間１４２に板状タイル１００ａの凸条部１１０が挿入されて組み合わされる。
【００５６】
蓋タイル１６８は、板状タイル１００と同様にして係止用板１２４に係着される係着部１７０と、受けタイル１６４を覆う、係着部１７０に連接した蓋部１７２とから成る。係着部１７０は輪郭が板状タイル１００とほぼ同じである。蓋部１７２は断面コの字形の長尺部材から成り、給水管１６５を覆い、蓋部１７２の内側面１７８と受けタイル１６４の溝１０６の内面１８０とに囲まれて形成された長尺空間部１７４に給水管１６５が収まる。
【００５７】
給水管１６５には、長手方向に沿った不図示の孔列が形成され、給水管１６５に供給された水がその孔列から排出され、長尺空間部１７４を経由して最上段の板状タイル１００ａを経て更に下方の板状タイル１００に供給される。
【００５８】
壁面構造１５０ａにおいては、植生された植物１３３への給水や、板状タイル１００の前述の蒸散効果による壁面冷却のための給水が、雨水を頼らずに積極的に、しかも人手を要せずになされる。更に、壁面構造１５０ａは、植生された植物１３３への給水が自動化されるという効果のみならず、壁面に植物を植生しない場合であっても、給水管１６５から水を多数の板状タイル１００のセラミックス多孔質体１１６に供給し、その多数のセラミックス多孔質体１１６に万遍なく水分を吸収させることにより、その吸収された水分が晴天時に蒸散し、この気化熱により壁が冷却されて建屋の室温を下げて冷房の負荷を減少させる効果がある。
【００５９】
又、給水管１６５が板状タイルの主素材と同質の素材で形成されたカバーで覆われるので、外壁外観とマッチし、外観を損なうことがない。更に、このカバーは特別の配設工事を伴うことなく板状タイル用の係止用板１２４を利用して取り付けることが出来るので設置コストが極めて小さい。
【００６０】
壁面構造１５０や壁面構造１５０ａにおいては、セラミックス多孔質体１１６の露出面１０７にセダム類、つゆくさ類、いわだれ草類又は苔類のような植物１３３が植生（育生）される。あるいは、蔦類のようなつる性の植物がはわせて育生することが出来る。植物１３３は、外壁の美観を向上させるとともに、直射日光を遮り、かつ自身の水分蒸散により、建屋の冷房エネルギー負荷の低減に寄与する。
【００６１】
なお、セラミックス多孔質体には、マグネシュウム酸化物、カルシュウム酸化物等のアルカリ性の成分が１〜１０重量％含有されることが好ましい。これにより、多孔質セラミックスはアルカリ性となり、セダム類、つゆくさ類の育成に適したセラミックス多孔質体が得られる。このためには、板状タイル素地の焼成に際して、焼成前の素地体や複合素地体を構成する坏土にマグネシュウム酸化物、カルシュウム酸化物等のアルカリ性の成分を１〜１０重量％含有させておくことが好ましい。
【００６２】
セラミックス多孔質体１１６は、保水性を有するとともに、ゴミ状の有機物を孔内に保持するので植生された植物への水分補給とともに養分の補給もなされ好ましい。又、根が孔によるマトリクス構造に保持されるので、強風等の外力で植物がセラミックス体１１６から剥離しにくい。更に、つる性の植物をはわせたときには、このマトリクス構造が植物にとって強固な足場となり、確実に植物をはわせることが出来る。
【００６３】
セラミックス多孔質体１１６の多孔には、予め、あるいは定期的に液肥等の肥料や土を含浸やふりかけや押し込みにより含有させることが出来る。これにより、植物の育成が更に促進される。液肥等の肥料は給水手段１６０により給水される水に混入させてもよい。
【００６４】
又、壁面構造１５０や壁面構造１５０ａにおいても、板状タイル１００は容易に着脱自在であり、好みの色調のものに時期をみて交換したり、植生された植物のいたみがはげしい板状タイルや、日当たり等の加減で成長度に差がある部分の板状タイルを交換したり入れ替えたりすることが出来る。汚れた板状タイルを外して掃除し、再装着することも容易である。又、外壁に装着する前に予め植物を植付け定着させてから、外壁に装着することが容易に出来る。
【００６５】
鉢状タイル２００の横幅Ｙの整数倍は、板状タイル１００の横幅（長幅）ＷＬの略整数倍であることが好ましい。又、の高さＨの整数倍は、板状タイル１００の縦幅（短幅）ＷＳの略整数倍であることが好ましい。これにより、格子状に配列した板状タイル１００のマトリックスから、１又は複数の板状タイル１００を取り去った方形の取り跡にぼぼ隙間なく鉢状タイル２００を嵌め込むことが出来、板状タイル１００と鉢状タイル２００との一体感が更に得られ、更に美麗な壁面となる。通常、ＹとＷＬが略等しく、ＨがＷＳの略２倍であることが好ましい。なお、略整数倍とは、嵌め込みの間隙代や、板状タイル間の目地間隔に相当する隙間を見込むという意味である。
【００６６】
壁面構造１５０の平面模式図を図６に示す。板状タイル１００のマトリックスのなかに鉢状タイル２００を間歇的に配することにより、壁面の美観が向上する。
【００６７】
配された鉢状タイル２００は、植物の状態や経時や、季節により、容易に適宜変えることが出来る。例えば、季節に応じた草花や花木を植生した鉢状タイル２００を準備しておいて適宜変えることが出来る。又、鉢状タイル２００に植生されている草花や花木を季節に応じて植え替えることが出来る。
【００６８】
壁面構造１５０が、給水手段１６０を備える場合は、給水手段１６０により給水された水が板状タイル１００を経て鉢状タイル２００にも自動的にかつほぼ均等に供給されるので良好な植生を行なうことが出来る。
【００６９】
なお、図６の構成においては、板状タイル１００として焼き物から成り、外観形状が板状タイル１００と同じで、通常のタイルのような表面形態を有する板状タイルが用いられてもよい。この場合は、板状タイル１００のようなタイル面での植物の植生による外観効果や、セラミックス多孔質体の吸水や水分の表面からの蒸発による冷却効果は期待できないが、鉢状タイル２００の壁面への配置による壁面の美観効果や植物の姿や香りによる癒し効果を得ることが出来る。又、バックの板状タイル１００の色彩やタイルによるモザイク模様を植物の種類や配置にあわせて容易に適宜変えることが出来る。
【００７０】
又、本発明の壁面構造においては、板状タイル面に植物の植生をせずとも、給水手段１６０を適用することにより、板状タイル面に万遍なく水が流れることにより生ずる壁面のゆらぎ模様効果を得ることが出来る。更に、鉢状タイル２００を配して鉢状タイル２００に植生された植物への自動的な給水が可能となる。
【００７１】
又、本発明の壁面構造においては、鉢状タイル２００に植木に代えて切花や観葉植物を生けて壁面の美観効果や植物の姿や香りによる癒し効果を得ることが出来る。更に給水手段１６０を適用することにより、鉢状タイル２００に生けられた植物への自動的な給水が可能となる。
【００７２】
又、本発明の壁面構造においては、鉢状タイル２００に植木に代えて造花や装飾用品や香り用品を入れて壁面の美観効果や香りによる癒し効果を得ることが出来る。
【００７３】
以上本発明の壁面構造を説明したが、本発明はその趣旨を逸脱しない範囲で、当業者の知識に基づき種々の改良、修正、変形を加えた態様で実施し得るものであり、これらの態様はいずれも本発明の範囲に属するものである。
【産業上の利用可能性】
【００７４】
本発明の壁面構造は、建造物の外壁のみならず、屋内の壁面の装飾用、温調用としても適用出来る。又、屋内外の独立した板状モニュメントの装飾用にも好適に適用出来る。
【図面の簡単な説明】
【００７５】
【図１】本発明の壁面構造に用いられる板状タイルの態様を示す斜視図である。
【図２】本発明の壁面構造に用いられる鉢状タイルの態様の一例を示す斜視図である。
【図３】図２に示す鉢状タイルの正面図（図３（ａ））、平面図（図３（ｂ））、側面図（図３（ｃ））である。
【図４】図１に示す板状タイル及び図２に示す鉢状タイルを用いた本発明の壁面構造の態様の一例を示す断面説明図である。
【図５】図１に示す板状タイル及び図２に示す鉢状タイルを用いた本発明の壁面構造の他の態様の一例を示す断面説明図である。
【図６】図４に示す壁面構造の正面模式図である。
【符号の説明】
【００７６】
１００：板状タイル
１０６：溝
１１０：凸条部
１１１：上面
１１２：懐溝
１１４：係止溝
１１５：係合溝
１１６：セラミックス多孔質体
１１７：斜面
１１８：焼物体
１３０：係止用受け部
１３３：植物
１３５、２３５：横溝
１５０、１５０ａ：壁面構造
１５９：基壁面
８２ｐ：係合部
８２ｑ：係止部
１５９：基壁面
１６０：給水手段
１６２：囲み具
１６４：受けタイル
１６５：給水管
１６８：蓋タイル
１７０：係着部
１７２：蓋部
１７４：長尺空間部
２００：鉢状タイル
２０２：係合部
２１２：封止部材
２５０：おもてがわ側壁
２５２：裏がわ側壁
２５４：横がわ側壁
２５６：底壁
２６０：上部開口部
３１０：凸条部
３１２：斜面
【図１】
2006118119.tif 000003
【図２】
2006118119.tif 000004
【図３】
2006118119.tif 000005
【図４】
2006118119.tif 000006
【図５】
2006118119.tif 000007
【図６】
2006118119.tif 000008